(57)【特許請求の範囲】
【請求項１】
スモークポット、ダッチオーブンその他の肉厚のある調理鍋において、
上側に開口した鍋であって、前記開口の周縁部および一対の本体用取っ手を有する鍋本体と、
前記鍋本体の前記開口を上側から塞ぐ蓋であって、前記鍋本体の前記開口の前記周縁部に当接する周縁部および一対の蓋用取っ手を有する前記蓋とを備え、
前記蓋が前記鍋本体の開口を塞ぎ且つ前記蓋の前記周縁部が前記鍋本体の前記周縁部に当接した状態で、前記一対の本体用取っ手は、前記鍋本体の前記周縁部の両側から互いに離反するように略水平に延びており、前記一対の蓋用取っ手は、前記蓋の前記周縁部の両側から互いに離反するように略水平に延びており、前記一対の蓋用取っ手のうちの一方の蓋用取っ手が、平面視において前記一対の本体用取っ手のうちの一方の本体用取っ手と重なり合わないように位置ずれし、且つ前記一対の蓋用取っ手のうちの他方の蓋用取っ手が、平面視において前記一対の本体用取っ手のうちの他方の本体用取っ手と重なり合わないように位置ずれしており、
前記本体用取っ手には、前記一方の蓋用取っ手が挿脱可能な貫通穴が形成されており、前記一方の蓋用取っ手が前記本体用取っ手の貫通穴に挿入されることにより前記蓋が前記鍋本体に自立可能になっていることを特徴とする調理鍋。
【請求項２】
請求項１記載の調理鍋において、
前記他方の蓋用取っ手には、貫通穴が形成されていることを特徴とする調理鍋。
【請求項３】
請求項１又は２記載の調理鍋において、
前記本体用取っ手に形成された前記貫通穴は長穴であり、前記一方の蓋用取っ手は板状体であって、その横断面は前記本体用取っ手の当該穴に対応した形状になっていることを特徴とする調理鍋。
【発明の詳細な説明】
【技術分野】
【０００１】
本発明は、スモークポット（又はスモークポッド）、ダッチオーブンその他の肉厚のある調理鍋に関する。
【背景技術】
【０００２】
この種の調理鍋はキャンプ等の際に野外にて広く使用されている。ただ、鋳物製であるのが一般的であることから鍋自体が重く持ち運びが大変である。特に、蓋に関し、衛生上地面に置くわけにいかず、重いながらも調理中に手に持ち続けることが必要になることがあった。
【０００３】
この点、蓋を鍋本体に自立させる構造になった調理用片手鍋の提案がなされており(例えば、特許文献１等)、かかる提案のように上記調理鍋を改良することが考えられている。
【先行技術文献】
【特許文献】
【０００４】
【特許文献１】特開２００４−２３０１０６号公報
【発明の概要】
【発明が解決しようとする課題】
【０００５】
しかしながら、かかる場合、蓋自体も重たいことから、蓋の自立構造の強度を高めることが必要になり、これに伴って同構造が複雑となり、鍋全体が重くなるばかりか割高になるという問題が指摘されている。
【０００６】
本発明は、上記事情に鑑みて創案されたものであって、その目的とするところは、簡単な構造でありながら蓋を鍋本体に自立させることか可能な調理鍋を提供することにある。
【課題を解決するための手段】
【０００７】
本発明の調理鍋は、上側に開口した鍋であって、前記開口の周縁部および一対の本体用取っ手を有する鍋本体と、前記鍋本体の前記開口を上側から塞ぐ蓋であって、前記鍋本体の前記開口の前記周縁部に当接する周縁部および一対の蓋用取っ手を有する前記蓋とを備えている。前記蓋が前記鍋本体の開口を塞ぎ且つ前記蓋の前記周縁部が前記鍋本体の前記周縁部に当接した状態で、前記一対の本体用取っ手は、前記鍋本体の前記周縁部の両側から互いに離反するように略水平に延びており、前記一対の蓋用取っ手は、前記蓋の前記周縁部の両側から互いに離反するように略水平に延びており、前記一対の蓋用取っ手のうちの一方の蓋用取っ手が、平面視において前記一対の本体用取っ手のうちの一方の本体用取っ手と重なり合わないように位置ずれし、且つ前記一対の蓋用取っ手のうちの他方の蓋用取っ手が、平面視において前記一対の本体用取っ手のうちの他方の本体用取っ手と重なり合わないように位置ずれしている。前記本体用取っ手には、前記一方の蓋用取っ手が挿脱可能な貫通穴が形成されており、前記一方の蓋用取っ手が前記本体用取っ手の貫通穴に挿入されることにより前記蓋が前記鍋本体に自立可能になっている。
【０００８】
上記発明によると、本体用取っ手に形成された穴に蓋用取っ手を挿入すると、蓋用取っ手が鍋本体に対して位置決められ、蓋が本体用取っ手の上に置かれ保持される。その結果、蓋の自立状態が維持される。このように簡単な構造でありながら蓋を鍋本体に自立させることが可能になる。基本的に形状等を設計変更するだけで良いことから、従来のように鍋全体が重くなったり割高になったりすることがない。また、調理中に蓋を手に持ち続けることも当然に不要になり使い勝手が良くなる。しかも、本体用取っ手と蓋用取っ手とが重なり合っていないことから、蓋の取り外しが容易になる。
【０００９】
前記他方の本体用取っ手には、貫通穴が形成されていても良い。
【００１１】
本体用取っ手に形成された前記貫通穴は長穴であり、一方の蓋用取っ手は板状体であって、その横断面は本体用取っ手の当該穴に対応した形状になった構造とすると良い。
【００１２】
上記形態によると、鋳物等の型を用いて作成するのに適した形状になっていることから、大きな設計変更が不要になり、この点で一層の低コスト化を図ることが可能になる。
【図面の簡単な説明】
【００１３】
【図１】本発明の実施形態に係る調理鍋の上方視斜視図である。
【図２】同調理鍋の側面図である。
【図３】同調理鍋の底面面である。
【図４】同調理鍋の蓋の底面図である。
【図５】同調理鍋の使用状態を説明するための図であって、蓋を鍋本体に自立させた状態を示す上方視斜視図である。
【図６】同調理鍋の付属品である金網の上方視斜視図である。
【図７】同調理鍋の付属品である持ち運び具の斜視図である。
【発明を実施するための形態】
【００１４】
以下、本発明の実施形態を図面を参照して説明する。
【００１５】
ここに例として挙げる調理鍋１は横長の箱状をなした鋳物製のスモークポットであって、本体用取っ手１２、１３を有した鍋本体１０と、蓋用取っ手２１を有した蓋２０とを備えた構成になっている。本案例では、調理鍋１の付属品として、金網３０(図６参照)及び持ち運び具４０(図７参照)が備えられている。
【００１６】
鍋本体１０については、図５に示されているように上面が開放されており且つ角に丸みを帯びた略直方体状の容器である。鍋本体１０の内底面には半球状の突起１１１が格子状に複数形成されている。突起１１１は、鍋本体１０に入れられたスモークチップ（図示せず）を底上げして鍋本体１０の内底面との間に隙間を開けるために設けられている。
【００１７】
鍋本体１０の長手方向の両側には、図１に示されているように本体用取っ手１２,１３が一対として形成されている。
【００１８】
本体用取っ手１２については鍋本体１０のフランジ（周縁部）の図中右部分が延びた略長方形の板状体であって、その中央部には穴１２１が貫通して形成されている。穴１２１は略長方形の長穴であって、鍋本体１０の短手方向に延びている。
【００１９】
本体用取っ手１３は鍋本体１０のフランジの図中左部分が延びた略長方形の板状体であって、その中央部には穴１３１が貫通して形成されている。穴１３１は略長方形の長穴であって、鍋本体１０の短手方向に延びている。
【００２０】
蓋２０については、図１及び図２に示されているように鍋本体１０の開口１１を上から塞ぐための板状体である。本案例では、表面と裏面との両方が使用可能になっている。蓋２０の表面（図１参照)には、鍋本体１０の開口１１の形状に対応した突脈２３が形成されている。蓋２０の裏面（図４参照)にも開口１１の形状に対応した突脈２４が形成されている。突脈２４は開口１１を完全密閉するために連続して形成されているが、突脈２３は開口１１を一部開放するために２箇所切り欠かれている。切り欠かれた部分がスモーク通気穴２３１、２３１（図１参照)とされている。
【００２１】
蓋２０の長手方向の両側付近には、蓋用取っ手２１,２２が各々形成されている。蓋用取っ手２１,２２は、図１に示されているように蓋２０が鍋本体１０の上に置かれた状態で本体用取っ手１２、１３とは重なり合わず若干位置ずれした位置に設けられている。蓋２０の長手方向ではなく蓋２０の中心に対する対称位置に配置されている。また、蓋用取っ手２１と蓋用取っ手２２とは、本案例では本体用取っ手１２,１３とは異なり形状が異なっている。
【００２２】
蓋用取っ手２１は蓋２０のフランジ（周縁部）の図中右部分が延びた略長方形の板状体であって、その横断面は、本体用取っ手１２の穴１２１に対応した形状になっている。なお、蓋用取っ手２１の長さについては後記するものとする。
【００２３】
蓋用取っ手２２は蓋２０のフランジの図中左部分が延びた略長方形の板状体であって、その中央部には穴２２１が貫通して形成されている。穴２２１は穴１２１，１３１と同一の形状であって、蓋２０の短手方向に対して若干傾斜させた方向に延びている。
【００２４】
なお、金網３０については、図６に示されているように調理対象を鍋本体１０内に配置するための脚付き台である。その表と裏とを使い分けることにより調理対象の高さ位置を２段階に調整可能になっている。持ち運び具４０については、鍋本体１０又は蓋２０を持ち運ぶための板状の金属片であって、その折り曲げ先端部を鍋本体１０の穴１２１（又は１３１）若しくは蓋２０の穴２２１に差し込んで鍋本体１０又は蓋２０を持ち上げるようにして使用される。
【００２５】
上記のように構成された調理鍋１については、持ち運び具４０を使用して蓋２０を鍋本体１０から持ち上げる。この際、本体用取っ手１２、１３と蓋用取っ手２１、２２とが重なり合っていないことから、蓋２０の取り外しが容易である。そして、蓋２０を鉛直方向に立てて、この状態で鍋本体１０の本体用取っ手１２又は１３の穴１２１又は１３１に蓋２０の蓋用取っ手２１を挿入する。
【００２６】
すると、蓋用取っ手２１が鍋本体１０の穴１２１又は１３１により位置決められ、蓋２０が本体用取っ手１２又は１３の上に置かれ保持される。これにより蓋２０の自立状態が維持される。即ち、蓋２０が鍋本体１０に自立可能になっている。この際、蓋２０がその自重により若干傾いても鍋本体１０から脱落しないように、蓋用取っ手２１の長さが設定されている。
【００２７】
このように簡単な構造でありながら蓋２０を鍋本体１０に自立させることが可能になる。従来のように鍋全体が重くなることがなく、調理中に蓋２０を手に持ち続けることも当然に不要になり使い勝手が良くなる。また、鋳物の型を設計変更するだけで実現可能であることから、調理鍋１ｋの製作工程に特別な変更が不要になり、この点で低コスト化を図ることも容易になる。
【００２８】
なお、本発明に係る調理鍋はスモークポットだけの適用に限定されず、ダッチオーブンや土鍋等の肉厚のある調理鍋にも上記と同様に適用可能であり、その材質についても鋳鉄だけでなくアルミ、ステンレス、銅又はセラミック等でも良い。鍋本体及び蓋の形状については、鍋の種類に応じて適宜設計変更すると良い。特に本体用取っ手又は蓋用取っ手については、鍋本体又は蓋のフランジの一部を利用する形態でもかまわず、本体用取っ手に形成された穴に蓋用取っ手を挿入し、これにより蓋が鍋本体に自立可能になっている限り、本体用取っ手の穴、蓋用取っ手の形状又は位置等に関して適宜設計変更することが可能である。
【符号の説明】
【００２９】
１      調理鍋
１０   鍋本体
１２、１３  本体用取っ手
１２１、１３１ 穴
２０   蓋
２１、２２ 蓋用取っ手
【図１】
0006296945.tif 000002
【図２】
0006296945.tif 000003
【図３】
0006296945.tif 000004
【図４】
0006296945.tif 000005
【図５】
0006296945.tif 000006
【図６】
0006296945.tif 000007
【図７】
0006296945.tif 000008